(57)【要約】【課題】キャッシュカードあるいはクレジットカードを用いてマネーカードあるいは携帯電話機に電子マネーをチャージできるようにした電子マネーチャージ機を提供すること。【解決手段】カード投入口１１から投入されたカードに記録された識別情報を読み取るカード情報読取装置１４と、読み取った識別情報を決済カードセンタ６１に送信する一方、決済カードセンタ６１から当該識別情報の認証を受信する広域ネットワーク接続インタフェース５１と、決済カードセンタ６１から認証を受信した場合にカードに搭載された非接触ＩＣチップに電子マネーをチャージする非接触ＩＣカードリーダライタ２２とを備えた電子マネーチャージ機において、カード投入口１１の近傍外部が通信領域となるように非接触ＩＣカードリーダライタ２２のアンテナ２１を配設するようにした。【選択図】        図１
2008282271.tif 000002
【特許請求の範囲】
【請求項１】
カード投入口から投入されたカードに記録された識別情報を読み取る識別情報読取手段と、読み取った識別情報を決済カードセンタに送信する一方、決済カードセンタから当該識別情報の認証を受信する識別情報認証送受信手段と、決済カードセンタから認証を受信した場合に記録媒体に搭載された非接触ＩＣチップに電子マネーをチャージする非接触ＩＣカードリーダライタとを備えた電子マネーチャージ機において、
前記カード投入口の近傍外部が通信領域となるように前記非接触ＩＣカードリーダライタのアンテナを配設したことを特徴とする電子マネーチャージ機。
【請求項２】
前記カード投入口にカードを投入する際に、前記カードが前記通信領域を通過するように前記非接触ＩＣカードリーダライタのアンテナを配設したことを特徴とする請求項１に記載の電子マネーチャージ機。
【請求項３】
前記カード投入口にカードが投入された場合に記録媒体に搭載された非接触ＩＣチップから情報を読み取ることを特徴とする請求項１に記載の電子マネーチャージ機。
【請求項４】
前記カード投入口においてカードを保持するカード保持手段を備えたことを特徴とする請求項１〜３のいずれか一つに記載の電子マネーチャージ機。
【請求項５】
前記カード保持手段は、投入時において非接触ＩＣカードリーダライタが確実にマネー情報を読み取ることができるように保持する一方、返却時において非接触ＩＣカードリーダライタが確実に電子マネーをチャージできるように保持することを特徴とする請求項４に記載の電子マネーチャージ機。
【請求項６】
カード投入口から投入されたカードを識別情報読取手段に搬送する搬送手段と、
前記搬送手段の搬送速度を制御する搬送速度制御手段と
を備えたことを特徴とする請求項１〜５のいずれか一つに記載の電子マネーチャージ機。
【発明の詳細な説明】
【技術分野】
【０００１】
本発明は、キャッシュカード、あるいはクレジットカードを用いてマネーカード等の記録媒体に電子マネーをチャージすることが可能な電子マネーチャージ機に関するものである。
【背景技術】
【０００２】
銀行口座の預金を用いて非接触ＩＣチップが搭載されたマネーカードに電子マネー（バリュー）をチャージする電子マネーチャージ機が提案されている。この電子マネーチャージ機は、キャッシュカードの情報を読み取るカード情報読取装置、取引金額及び暗証番号を入力する入力装置、及びマネーカードにアクセス可能なインタフェース（アンテナ及び非接触ＩＣカードリーダライタ）を備えている（例えば、特許文献１参照）。
【０００３】
ところで、マネーカードのほかに、非接触ＩＣチップを搭載した携帯電話機、あるいはキャッシュカード機能（デビットカード機能）とマネーカード機能の両方の機能を備えたカードＣ、クレジットカード機能とマネーカード機能の両方の機能を備えたカードＣが用いられるようになり、これらに電子マネーをチャージすることが可能となっている。
【０００４】
そこで、図４，図５に示すような電子チャージ機が知られるようになってきている。図４に示すように、マネーカード、あるいは携帯電話機に電子マネーをチャージ可能とする場合、電子マネーチャージ機１０１に、キャッシュカード機能（デビットカード機能）とマネーカード機能の両方の機能を備えたカードＣ、クレジットカード機能とマネーカード機能の両方の機能を備えたカードＣのカード挿入口１１１と、携帯電話機ＰＨを載置可能とする載置部１１０（棚）とを設ける一方、カード投入口１１１の奥方（電子マネーチャージ機１０１の筐体内部）に、カード情報読取装置１１４、非接触ＩＣカードリーダライタのアンテナ１１５を配設するとともに、載置部１１０の内部に、非接触ＩＣカードリーダライタ（図示せず）に接続したアンテナ１２１を配設する。このように、図４に示すような電子マネーチャージ機には、２箇所にアンテナ１１５，１２１が設けられている。
【０００５】
また、図５に示すように、アンテナを１箇所とする場合には、携帯電話機ＰＨの載置を優先し、カード投入口１１１の奥方に配置してある非接触ＩＣカードリーダライタのアンテナ１１５（図４参照）を省略する。
【０００６】
【特許文献１】特開２００５−１２８６７５号公報
【発明の開示】
【発明が解決しようとする課題】
【０００７】
しかしながら、上述したように、図４に示すような電子マネーチャージ機は、非接触ＩＣカードリーダライタのアンテナを２箇所に配設する必要があり、装置として大掛かりなものとなる。
【０００８】
また、図５に示すような電子マネーチャージ機は、携帯電話機ＰＨを優先するので、一枚のカードがキャッシュカード機能とマネーカード機能の両方を備えている場合、クレジットカード機能とマネーカード機能の両方の機能を備えている場合には、カード投入口１１１にカードＣを投入した後、カード投入口１１１から取り出した当該カードＣを載置部１１０（通信可能エリアＡ）に近づける必要があり、利用者によるカード操作がわかりにくいものとなる。
【０００９】
本発明は、上記実情に鑑みて、キャッシュカードあるいはクレジットカードを用いてマネーカードあるいは携帯電話機に電子マネーをチャージ可能とするとともに、キャッシュカード機能とマネーカード機能の両方の機能を備えたカード、又はクレジットカード機能とマネーカード機能の両方の機能を備えたカードを用いて当該カードに電子マネーをチャージする場合の操作をわかりやすくした電子マネーチャージ機を提供することを目的とする。
【課題を解決するための手段】
【００１０】
上記の目的を達成するために、本発明の請求項１に係る電子マネーチャージ機は、カード投入口から投入されたカードに記録された識別情報を読み取る識別情報読取手段と、読み取った識別情報を決済カードセンタに送信する一方、決済カードセンタから当該識別情報の認証を受信する識別情報認証送受信手段と、決済カードセンタから認証を受信した場合に記録媒体に搭載された非接触ＩＣチップに電子マネーをチャージする非接触ＩＣカードリーダライタとを備えた電子マネーチャージ機において、前記カード投入口の近傍外部が通信領域となるように前記非接触ＩＣカードリーダライタのアンテナを配設したことを特徴とする。
【００１１】
また、本発明の請求項２に係る電子マネーチャージ機は、上記請求項１において、前記カード投入口にカードを投入する際に、前記カードが前記通信領域を通過するように前記非接触ＩＣカードリーダライタのアンテナを配設したことを特徴とする。
【００１２】
また、本発明の請求項３に係る電子マネーチャージ機は、上記請求項１において、前記カード投入口にカードが投入された場合に記録媒体に搭載された非接触ＩＣチップから情報を読み取ることを特徴とする。
【００１３】
また、本発明の請求項４に係る電子マネーチャージ機は、上記請求項１〜３のいずれか一つにおいて、前記カード投入口においてカードを保持するカード保持手段を備えたことを特徴とする。
【００１４】
また、本発明の請求項５に係る電子マネーチャージ機は、上記請求項４において、前記カード保持手段は、投入時において非接触ＩＣカードリーダライタが確実にマネー情報を読み取ることができるように保持する一方、返却時において非接触ＩＣカードリーダライタが確実に電子マネーをチャージできるように保持することを特徴とする。
【００１５】
また、本発明の請求項６に係る電子マネーチャージ機は、上記請求項１〜５のいずれか一つにおいて、カード投入口から投入されたカードを識別情報読取手段に搬送する搬送手段と、前記搬送手段の搬送速度を制御する搬送速度制御手段とを備えたことを特徴とする。
【発明の効果】
【００１６】
本発明に係る電子マネーチャージ機には、カード投入口の近傍外部が通信領域となるように非接触ＩＣカードリーダライタのアンテナが配設してある。したがって、カード投入口の近傍外部において、記録媒体に搭載された非接触ＩＣチップから非接触ＩＣカードリーダがマネー情報を受信できることになる。このため、キャッシュカードあるいはクレジットカードを用いてマネーカードあるいは携帯電話機に電子マネーをチャージできるとともに、キャッシュカード機能とマネーカード機能の両方の機能を有するカード、クレジットカード機能とマネーカード機能の両方の機能を有するカードを用いて当該カードに電子マネーをチャージすることができる。
【００１７】
また、電子マネーチャージ機には、カード投入口にカードを投入する際に、カードが通信領域を通過するように非接触ＩＣカードリーダライタのアンテナを配設してある。したがって、カード投入口にカードを投入する際に、当該カードに搭載された非接触ＩＣチップから非接触ＩＣカードリーダライタがマネー情報を受信できることになる。このため、キャッシュカード機能とマネーカード機能の両方の機能を備えたカード、クレジットカード機能とマネーカード機能の両方の機能を備えたカードを用いて当該カードに電子マネーをチャージする場合に、利用者が非接触ＩＣカードリーダのアンテナの通信領域を意識する必要がない。この結果、当該カードをカード投入口から投入するだけでよく、カード投入口から取り出したカードを特定の部位（例えば、非接触ＩＣカードリーダライタのアンテナ）にタッチさせる等の煩雑な操作が不要となり、利用者によるカード操作がわかりやすくなる。
【００１８】
また、電子マネーチャージ機は、カード投入口においてカードを保持するカード保持手段を備えている。したがって、キャッシュカード機能とマネーカード機能の両方の機能を備えたカード、クレジットカード機能とマネーカード機能の両方の機能を備えたカードを用いて当該カードに電子マネーをチャージする場合に、非接触ＩＣカードリーダライタとの通信を確実に行うことができる。
【発明を実施するための最良の形態】
【００１９】
以下に添付図面を参照して、本発明に係る電子マネーチャージ機の好適な実施の形態を詳細に説明する。なお、この実施の形態によりこの発明が限定されるものではない。
【００２０】
図１は本発明の実施の形態である電子マネーチャージ機の構成を示す概念図、図２は図１に示した電子マネーチャージ機の要部拡大図である。ここで説明する電子マネーチャージ機１は、マネーカードのような薄い板状の記録媒体に非接触で電子マネー（バリューデータ）をチャージ可能とするとともに、携帯電話機のような厚みを有する記録媒体に非接触で電子マネーをチャージ可能としたものであって、紙幣による電子マネーのチャージのほか、キャッシュカード（デビットカード）、クレジットカードによる電子マネーのチャージを可能としたものである。さらに、この電子マネーチャージ機は、キャッシュカード機能（デビットカード機能）とマネーカード機能の両方の機能を備えたカードにおいて当該キャッシュカード機能を用いて当該カードに電子マネーをチャージすることができ、クレジットカード機能とマネーカード機能の両方の機能を備えたカードにおいて当該クレジットカード機能を用いて当該カードに電子マネーをチャージすることができるようになっている。
【００２１】
本実施の形態である電子マネーチャージ機は、図１及び図２に示すように、前面に棚（載置部）１０が設けてある。この棚１０は、マネーカード、携帯電話機がセット（載置）可能となっている。
【００２２】
この棚１０の直ぐ上には、カード投入口１１が開口しており、キャッシュカード、クレジットカードのほか、キャッシュカード機能（デビットカード機能）とマネーカード機能の両方の機能を備えたカード、クレジットカード機能とマネーカード機能の両方の機能を備えたカードが投入可能となっている。
【００２３】
図１に示すように、カード投入口１１から電子マネーチャージ機１の奥方に向けて、カード保持装置１２、カード搬送装置１３、カード情報読取装置１４が順番に配設してある。カード保持装置１２は、カード投入口１１から投入されたカードを保持可能であって、投入時において後述するアンテナ２１を介して非接触ＩＣカードリーダライタ２２が確実にマネー情報を読み取ることができるように保持する一方、返却時においてアンテナ２１を介して非接触ＩＣカードリーダライタ２２が確実に電子マネーをチャージできるようになっている。カード搬送装置１３は、カード投入口１１から投入されたカードを所定の速度でカード情報読取装置１４に搬送する一方、カード情報読取装置１４からカード投入口１１にカードを所定の速度で搬送（返却）するものであって、カード保持装置１２が機能しない場合であっても、カードを所定の速度で搬送することによって、非接触ＩＣカードリーダライタ２２が確実にマネー情報を読み取ることができ、確実に電子マネーをチャージできるようになっている。カード情報読取装置１４は、カードからキャッシュカード情報あるいはクレジットカード情報を読み取るものであって、キャッシュカード情報、クレジットカード情報が磁気情報で記録されている場合には、当該磁気情報を読み取ることができ、キャッシュカード情報、クレジットカード情報が電子情報でＩＣチップ等に記録されている場合には、当該電子情報を接触、あるいは非接触で読み取ることができるようになっている。
【００２４】
棚１０の内部には、アンテナ２１が配設してある。アンテナ２１には、非接触ＩＣカードリーダライタ２２が接続してあり、棚１０にセットされたマネーカード、携帯電話機、あるいはカード投入口１１から投入されたカードからマネー情報を読み取ることができ、棚１０にセットされたマネーカード、携帯電話機、あるいはカード投入口１１に返却されたカードに電子マネーをチャージすることができるようになっている。したがって、カード投入口１１およびその近傍外部は、非接触ＩＣカードリーダライタ２２の通信可能エリアＡ（通信領域）となる。
【００２５】
カード投入口１１の上方部には、ガイダンス表示装置３１、入力デバイス３２、音声ユニット３３が配設してある。ガイダンス表示装置３１は、電子マネーチャージ機の操作手順等を表示するものである。入力デバイス３２は、例えば、タッチパネル等であって、ガイダンス表示装置３１に表示されたテンキー等を指示することによって、暗証番号、チャージ金額等を入力できるようになっている。音声ユニット３３は、利用者に注意を促すためのもので、一定時間を経過しても操作がされなかった場合、カードの取り忘れがあった場合等に音声を発するようになっている。
【００２６】
一方、棚１０の下方部には、ビルバリデータ４１、レシート発行装置４２が配設してある。ビルバリデータ４１は、紙幣を収受するものであり、レシート発行装置４２は、取引記録を記録したレシートを発行するものである。
【００２７】
これら、ガイダンス表示装置３１、入力デバイス３２、音声ユニット３３、カード保持装置１２、カード搬送装置１３、カード情報読取装置１４、非接触ＩＣカードリーダライタ２２、ビルバリデータ４１、レシート発行装置４２は、ＣＰＵユニット５０に接続してあり、ＣＰＵユニット５０により制御されるようになっている。
【００２８】
また、ＣＰＵユニット５０は、広域ネットワーク接続インタフェース５１に接続してあり、広域ネットワーク６０を介して決済カードセンタ６１、電子マネー管理センタ６２に接続されている。このため、電子マネーチャージ機１は、決済カードセンタ６１の認証を得ることにより、キャッシュカードあるいはクレジットカードによる電子マネーのチャージが可能となり、マネーカードあるいは携帯電話機にチャージされた電子マネーは、電子マネー管理センタ６２においても管理される。
【００２９】
図３を参照し、上述した実施の形態である電子マネーチャージ機１の作用を説明する。なお、図２は、図１に示した電子マネーチャージ機の要部拡大図である。
【００３０】
まず、キャッシュカード機能（デビットカード機能）とマネーカード機能の両方の機能を有するカードを用いた電子マネーのチャージについて説明する。
【００３１】
電子マネーチャージ機１は、初期状態において、電子マネーのチャージが可能である旨のガイダンス、マネーカードあるいは携帯電話機のセットを促すガイダンス、キャッシュカード，クレジットカード、紙幣のいずれかの投入を促すガイダンスがガイダンス表示装置３１に表示される。利用者はこのガイダンスにしたがって、キャッシュカード機能とマネーカード機能の両方の機能を有するカードをカード投入口１１に投入することになる（ステップＳ１）。
【００３２】
カード投入口１１からカードを投入する場合には、カードがアンテナ２１の上方（通信可能エリアＡ）を通過することになる。このとき、非接触ＩＣカードリーダライタ２２は、アンテナ２１を介してカードからカード情報を読み取ることになる（ステップＳ２）。ここで読み取るカード情報は、マネー情報であって、マネーカードのＩＤ番号、残額等の情報である。
【００３３】
ここで、非接触ＩＣカードリーダライタ２２がカード情報を読み取れなかった場合には、カード投入口１１から投入されたカードをカード保持装置１２が保持し（ステップＳ３）、非接触ＩＣカードリーダライタ２２がカード情報を読み取ることになる（ステップＳ４）。
【００３４】
そして、ＣＰＵユニット５０は、読み取ったカード情報から投入されたカードが電子マネーカード機能を有するカードであるか否かを判断する。ＣＰＵユニットが投入されたカードが電子マネーカード機能を有するカードであることを認識すると（ステップＳ５）、ＣＰＵユニット５０はカード搬送装置１３を駆動してカードをカード情報読取装置１４に搬送するとともに（ステップＳ６）、ガイダンス表示装置３１にチャージ金額の指定を要求するガイダンスを表示する（ステップＳ７）。
【００３５】
カードがカード情報読取装置１４に搬送されると、カード情報を読み取ることになる（ステップＳ８）。ここで読み取るカード情報は、キャッシュカードに関する情報、あるいはクレジットカードに関する情報（金融カード情報）であって、決済に用いるカードのＩＤ番号、有効期限等である。
【００３６】
カード情報読取装置１４においてカード情報が読み取られるとともに、入力デバイス３２からチャージ金額が指定されると（ステップＳ９）、これら情報が広域ネットワーク６０を介して決済カードセンタ６１に送られ、カード認証及び決済可否の確認が行われる（ステップＳ１０）。
【００３７】
決済カードセンタ６１において、カード認証及び決済可否が確認されると、カード搬送装置１３がカードをカード投入口１１まで搬送し、カード保持装置１２がカード投入口１１においてカードを保持することになる（ステップＳ１１）。このとき、ガイダンス表示装置３１には、カードを抜き取らないように警告が表示される（ステップＳ１２）。
【００３８】
カード保持装置１２がカード投入口１１においてカードを保持すると、ＣＰＵユニット５０が非接触ＩＣカードリーダライタ２２に電子マネーのチャージ指令を出力し（ステップＳ１３）、非接触ＩＣカードリーダライタ２２が電子マネーをチャージする（ステップＳ１４）。具体的には、非接触ＩＣカードリーダライタ２２において、カードＩＤを確認した後、残額データを書き換えることになる。
【００３９】
このようにしてカードに電子マネーをチャージすると、カード保持装置１２がカードを開放し、利用者がカードを取り出すことができるようになる（ステップＳ１５）。このとき、ガイダンス表示装置３１には、電子マネーのチャージが完了した旨のほか、カードを取るように表示する（ステップＳ１６）。
【００４０】
一方、キャッシュカードあるいはクレジットカードと別体となっているマネーカード、電子マネーがチャージ可能となっている携帯電話機にキャッシュカードあるいはクレジットカードを用いて電子マネーをチャージする場合には、棚１０に携帯電話機あるいはマネーカードをセットした状態で、カード投入口１１からキャッシュカードあるいはクレジットカードを投入すればよい。この場合には、マネーカードあるいは携帯電話機から電子マネーに関する情報を読み取る一方、キャッシュカードあるいはクレジットカードから決済に用いるカードのＩＤ番号、有効期限等を読み取ることになる。
【００４１】
他方、マネーカードあるいは電子マネーがチャージ可能となっている携帯電話機に現金を用いて電子マネーをチャージする場合には、棚１０にマネーカードあるいは携帯電話機をセットした状態で、ビルバリデータ４１に紙幣を投入すればよい。この場合には、携帯電話機あるいはマネーカードから電子マネーに関する情報を読み取る一方、ビルバリデータ４１において紙幣を識別することになる。
【００４２】
上述した実施の形態である電子マネーチャージ機１によれば、カード投入口１１の近傍外部が通信領域となるように、棚１０の内部に非接触ＩＣカードリーダライタ２２のアンテナ２１が配設してある。したがって、カード投入口１１の近傍外部において、カードあるいは携帯電話機に搭載された非接触ＩＣチップから非接触ＩＣカードリーダライタ２２がマネー情報を受信できることになる。このため、キャッシュカードあるいはクレジットカードを用いてマネーカードあるいは携帯電話機に電子マネーをチャージでき、キャッシュカード機能とマネーカード機能の両方の機能を備えたカード、クレジットカード機能とマネーカード機能の両方の機能を備えたカードを用いて当該カードに電子マネーをチャージすることができる。
【００４３】
また、カード投入口１１にカードを投入する際に、カードが非接触ＩＣカードリーダライタ２２に接続されたアンテナ２１の通信可能エリア（通信領域）を通過するので、当該カードに搭載された非接触ＩＣチップから非接触ＩＣカードリーダライタ２２がマネー情報を受信できることになる。このため、キャッシュカード機能とマネーカード機能の両方の機能を備えたカード、クレジットカード機能とマネーカード機能の両方の機能を備えたカードを用いて当該カードに電子マネーをチャージする場合に、利用者が非接触ＩＣカードリーダライタ２２に接続されたアンテナ２１の通信可能エリア（通信領域）を意識する必要がない。この結果、当該カードをカード投入口１１から投入するだけでよく、カード投入口１１から取り出したカードを特定の部位にタッチさせる等の煩雑な操作が不要となり、利用者によるカード操作がわかりやすくなる。
【００４４】
また、カード投入口１１においてカード保持装置１２がカードを保持するので、キャッシュカード機能とマネーカード機能の両方の機能を備えたカードに確実に電子マネーをチャージすることができる。
【００４５】
また、カード搬送装置１３は、カード投入口１１から投入されたカードを所定の速度でカード情報読取装置１４に搬送する一方、カード情報読取装置１４からカード投入口１１にカードを所定の速度で搬送するので、カード保持装置１２が機能しない場合であっても、非接触ＩＣカードリーダライタ２２が確実にマネー情報を読み取ることができ、確実に電子マネーをチャージできる。
【００４６】
なお、上述した実施の形態である電子マネーチャージ機１は、カード投入口１１においてカード保持装置１２がカードを保持するものとしたが、棚１０の情報に非接触ＩＣカードリーダライタ２２の通信可能エリアＡを覆うカバーを設け、開閉制御するようにしてもよい。
【００４７】
また、上述した実施の形態である電子マネーチャージ機１は、広域ネットワーク接続インタフェース５１を備え、決済カードセンタ６１との通信を可能としているが、接続インタフェースとしてイーサネット（登録商標）などのＬＡＮ接続、電話回線によるダイヤルアップ接続等により決済カードセンタ６１との通信を可能としてもよい。また、広域ネットワーク接続インタフェース５１は、電子マネーのチャージ記録の送付、設定データのダウンロード等、電子マネー管理センタ６２への接続にも利用される。
【図面の簡単な説明】
【００４８】
【図１】本発明の実施の形態である電子マネーチャージ機の構成を示す概念図である。
【図２】図１に示した電子マネーチャージ機の要部拡大図である。
【図３】図１に示した電子マネーチャージ機の作用を示すフローチャートである。
【図４】携帯電話機に電子マネーをチャージ可能とする電子マネーチャージ機の構成を示す概念図である。
【図５】図４に示した電子マネーチャージ機におけるマネーカードの操作手順を示した図である。
【符号の説明】
【００４９】
１    電子マネーチャージ機
１０    棚
１１    カード投入口
１２    カード保持装置
１３    カード搬送装置
１４    カード情報読取装置
２１    アンテナ
２２    カードリーダライタ
３１    ガイダンス表示装置
３２    入力デバイス
３３    音声ユニット
４１    ビルバリデータ
４２    レシート発行装置
５０    ＣＰＵユニット
５１    広域ネットワーク接続インタフェース
６０    広域ネットワーク
６１    決済カードセンタ
６２    電子マネー管理センタ
【図１】
2008282271.tif 000003
【図２】
2008282271.tif 000004
【図３】
2008282271.tif 000005
【図４】
2008282271.tif 000006
【図５】
2008282271.tif 000007